(57)【要約】【課題】竹馬の竿部に駒片を嵌着して、駒片の外筒に踏板を外筒を収納可能な嵌合孔で外接嵌合すると、内筒は略完全な円筒状の空間となり、竿部の表面に対する密着状態が完全になるため、竿部に対し駒片が滑ることがなく踏板の取付高さが確実に固定できる踏板取付装置を提供する。【解決手段】直状の内筒３ａと截頭円錐形の外筒３ｂとを放射状のリブ３ｃで一体に連結し、内筒３ａにおいて、上下端面に達する軸線方向の複数条のスリット３ｄを等角度に設けるとともに、外筒３ｂにおいて、内筒３ａに設けたスリット３ｄと一致し、上下端面に達する軸線方向の１条スリット３ｅ及び上下一方の端面の近傍から他方の端面に達する軸線方向の複数条のスリット３ｆをそれぞれ設けて成る駒片３を、その内筒３ａにおいて竹馬の竿部２に嵌挿し、その外筒３ｂの外面に踏板４を截頭円錐形の嵌合孔４ａにおいて嵌着支持させてなるように構成した。【選択図】図１
2009055961.tif 000002
【特許請求の範囲】
【請求項１】
直状の内筒と截頭円錐形の外筒とを放射状のリブで一体に連結し、内筒において、上下端面に達する軸線方向の複数条のスリットを等角度に設けるとともに、外筒において、内筒に設けたスリットと一致し、上下端面に達する軸線方向の１条のスリット及び上下一方の端面の近傍から他方の端面に達する軸線方向の複数条のスリットをそれぞれ設けてなる駒片を、その内筒において竹馬の竿部に嵌挿し、その外筒の外面に踏板を截頭円錐形の嵌合孔において嵌着支持させてなる竹馬の踏板取付装置。
【請求項２】
駒片は、内筒において、上下端面に達する軸線方向の複数条のスリットを等角度に設けるとともに、外筒において、内筒に設けたスリットと一致し、上下端面に達する軸線方向の１条のスリット及び上方の端面の近傍から下方の端面に達する軸線方向の複数条のスリットをそれぞれ設けてなる請求項１記載の竹馬の踏板取付装置。
【請求項３】
前記駒片は、内筒において、上下端面に達する軸線方向の複数条のスリットを等角度に設けるとともに、外筒において、内筒に設けたスリットと一致し、上下端面に達する軸線方向の１条のスリット及び下方の端面の近傍から上方の端面に達する軸線方向の複数条のスリットをそれぞれ設けてなる請求項１記載の竹馬の踏板取付装置。
【発明の詳細な説明】
【技術分野】
【０００１】
本発明は、竹馬の竿部に踏板を取付けるための竹馬の踏板取付装置に関するものである。
【背景技術】
【０００２】
従来の踏板取付装置として、本出願人の実用新案登録に係る実公昭５２−６３７３号公報に記載されたものがあった。これは、直状の内筒と截頭円錐形の外筒とを放射状のリブで一体に連結し、内外筒に上下端面に達する軸線方向のスリットを設けてなる駒片をその内筒において竹馬の竿部に嵌挿し、その外筒の外面に踏板を截頭円錐形の嵌合孔において嵌着支持させてなるものである。ここで適用される踏板は、上面を平坦とし基部に筒状部を形成してこれに駒片の外筒に適合する截頭円錐形の嵌合孔を設け、駒片の内筒には平行する複数条のスリットを設け外筒には１条のスリットを設けている。
【０００３】
そして、竿部に対し内外筒からなる駒片を適当な高さ位置に嵌着した後、その外筒に踏板を截頭円錐形の嵌合孔で外接嵌合すれば、外筒と嵌合孔とのテーパー形状の凹凸の嵌め込みにより、駒片に対し踏板は確実に係合し、且つ駒片は踏板の嵌合により周囲から挾搾され、これがリブを介して内筒を挾搾する作用となって竿部に対し駒片を強力に結着するから、踏板は該駒片を介して竿部に堅牢に結着支持され、且つその分解も極めて安易に行われるもので、踏板の取付高さの調節も簡便である。
【特許文献１】実公昭５２−６３７３号公報
【発明の開示】
【発明が解決しようとする課題】
【０００４】
竹馬の竿部は一般に、金属パイプで竿部本体を構成し、該竿部本体の外面を合成樹脂製フィルムで被覆し、竿部本体の上端部、下端部に熱収縮性の上キャップ、下キャップをそれぞれ装着して構成される。竿部に対し駒片を適当な高さ位置に嵌着し、その外筒に踏板を截頭円錐形の嵌合孔で外接嵌合すると、駒片は外筒に設けた１条のスリットが当設するように内筒の径を狭めるが、内筒の孔内はどうしても完全な円筒状の空間とならず、竿部の表面に対する密着状態が不完全になってしまう。そのため、竿部に対し駒片が滑ることがあり、踏板がずれて踏板の取付高さが固定できないという問題があった。
【０００５】
本発明は、竹馬の竿部に駒片を嵌着して、駒片の外筒に踏板を截頭円錐形の嵌合孔で外接嵌合すると、内筒は略完全な円筒状の空間となり、竿部の表面に対する密着状態が完全になるため、竿部に対し駒片が滑ることがなく踏板の取付高さが確実に固定できる踏板取付装置を提供するものである。
【課題を解決するための手段】
【０００６】
前記課題を解決するために請求項１記載の発明は、直状の内筒と截頭円錐形の外筒とを放射状のリブで一体に連結し、内筒において、上下端面に達する軸線方向の複数条のスリットを等角度に設けるとともに、外筒において、内筒に設けたスリットと一致し、上下端面に達する軸線方向の１条スリット及び上下一方の端面の近傍から他方の端面に達する軸線方向の複数条のスリットをそれぞれ設けて成る駒片を、その内筒において竹馬の竿部に嵌挿し、その外筒の外面に踏板を截頭円錐形の嵌合孔において嵌着支持させてなる竹馬の踏板取付装置である。
【０００７】
また、請求項２記載の発明は、駒片は、内筒において、上下端面に達する軸線方向の複数条のスリットを等角度に設けるとともに、外筒において、内筒に設けたスリットと一致し、上下端面に達する軸線方向の１条のスリット及び上方の端面の近傍から下方の端面に達する軸線方向の複数条のスリットをそれぞれ設けてなる請求項１記載の竹馬の踏板取付装置である。
【０００８】
また、請求項３記載の発明は、駒片は、内筒において、上下端面に達する軸線方向の複数条のスリットを等角度に設けるとともに、外筒において、内筒に設けたスリットと一致し、上下端面に達する軸線方向の１条のスリット及び下方の端面の近傍から上方の端面に達する軸線方向の複数条のスリットをそれぞれ設けてなる請求項１記載の竹馬の踏板取付装置である。
【発明の効果】
【０００９】
本発明は、竿部に駒片を嵌着して、駒片の外筒に踏板を截頭円錐形の嵌合孔で外接嵌合すると、内筒は略完全な円筒状の空間となり、竿部の表面に対する密着状態が完全になり、竿部に対し駒片が滑ることがなく踏板の取付高さが確実に固定できる。
【発明を実施するための最良の形態】
【００１０】
以下、実施例を示す図面に基づいて本発明を詳細に説明する。
【実施例１】
【００１１】
図１は本発明の実施例１の概略斜視図、図２は図１における駒片と踏板の分解斜視図、図３において、（ａ）は図１における駒片の斜視図、（ｂ）は駒片の平面図、（ｃ）は（ｂ）のＡ−Ａ線から見た駒片の縦断面図、（ｄ）は（ｃ）のＢ−Ｂ線から見た駒片の横断面図である。
【００１２】
図１及び図２において、踏板取付装置１は、竹馬の竿部２に取り付けられるもので、駒片３及び踏板４とから構成されている。竿部２は丸筒状の金属パイプの外面を合成樹脂製フィルムで被覆して形成されている。そして竿部２には、駒片３が直状の内筒３ａで嵌着され、さらに、駒片３の截頭円錐形の外筒３ｂに踏板４が、截頭円錐形の嵌合孔４ａで外接嵌合されている。
【００１３】
図３（ａ）〜（ｄ）に示すように、駒片３は、直状の内筒３ａと截頭円錐形の外筒３ｂとを放射状のリブ３ｃで一体に連結されている。また、駒片３は内筒３ａにおいて、上下端面に達する軸線方向の複数条のスリット３ｄが等角度に設けられるとともに、スリット３ｄの周縁部と外筒３ｂとが平坦な板状の端部壁３１で一体に連結されている。
【００１４】
また、外筒３ｂにおいて、内筒３ａに設けたスリット３ｄと一致し、上下端面に達する軸線方向の１条のスリット３ｅ及び上端面の近傍から下端面に達する軸線方向の複数条のスリット３ｆが設けられている。
【００１５】
また、踏板４は上面を平坦とした足置き部４ｂの基部（前部）４ｃに下方に突出して筒状部４ｄが形成され、この筒状部４ｄの裏側において、駒片３の外筒３ｂに合致する截頭円錐形の嵌合孔４ａが設けられている。
【００１６】
次に、踏板取付装置１により竹馬を組立てる手順を説明する。竹馬の竿部２に駒片３を竹馬の使用者に適した高さ位置に嵌着する。そして、駒片３の外筒３ｂに踏板４を截頭円錐形の嵌合孔４ａで外接嵌合すれば、外筒３ｂと嵌合孔４ａとのテーパー形状の凹凸の嵌め込みにより、駒片３に対し踏板４は確実に係合する。そして、駒片３は、内外筒３ａ，３ｂにおいて、内筒３ａに軸線方向の複数条のスリット３ｄを等角度に設けるとともにスリット３ｄの周縁部と外筒３ｂとを平坦な端部壁３１で一体に連結し、また、外筒３ｂに軸線方向のスリット３ｅ，３ｆを等角度に設けている。
【００１７】
そのため、駒片３は、踏板４の嵌合により周囲から挾搾されると、内外筒３ａ，３ｂは内筒３ａに等角度に設けたスリット３ｄと外筒３ｂに等角度に設けたスリット３ｅ，３ｆの間隔を狭めて駒片３の径を等角度の複数の位置において縮めることができるので、内筒３ａの孔内は完全な円筒状の空間を維持した状態で、竿部２の表面に対する密着状態が完全になり、竿部２に対し駒片３が滑ることがなくなる。
【実施例２】
【００１８】
実施例２において、実施例２の踏板取付装置１ａは、駒片１３の構造が実施例１の駒片３と異なる以外は、竿部２、踏板４は同じもので良いので、ここでは、駒片１３の構造についてのみ説明する。
【００１９】
図４は本発明の実施例２における駒片の斜視図である。駒片１３は、直状の内筒１３ａと截頭円錐形の外筒１３ｂとを放射状のリブ１３ｃで一体に連結されている。また、駒片１３は内筒１３ａにおいて、上下端面に達する軸線方向の複数条のスリット１３ｄが等角度に設けられるとともに、スリット１３ｄの周縁部と外筒１３ｂとが平坦な板状の端部壁１３１で一体に連結されている。
【００２０】
また、外筒１３ｂにおいて、内筒１３ａに設けたスリット１３ｄと一致し、上下端面に達する軸線方向の１条のスリット１３ｅ及び下端面の近傍から上端面に達する軸線方向の複数条のスリット１３ｆが設けられている。踏板取付装置１ａを竹馬の竿部に取り付ける手順は、実施例１と同様であるので、ここではその説明を省略する。
【００２１】
以上説明したように、本願発明によれば、踏板取付装置を竹馬の竿部に取り付ける際に、竿部の表面に対し駒片が等角度に設けられたスリットの間隔を狭めて、駒片の径を等角度の複数の位置において縮めるから、駒片は、内筒の孔を完全な円筒状に維持して竿部に強力に結着支持されるものである。
【図面の簡単な説明】
【００２２】
【図１】本発明の実施例１の概略斜視図である。
【図２】図１における駒片と踏板の分解斜視図である。
【図３】（ａ）は図１における駒片の斜視図、（ｂ）は駒片の平面図、（ｃ）は（ｂ）のＡ−Ａ線から見た駒片の縦断面図、（ｄ）は（ｃ）のＢ−Ｂ線から見た駒片の横断面図である。
【図４】本発明の実施例２における駒片の斜視図である。
【符号の説明】
【００２３】
１  踏板取付装置
２  竹馬の竿部
３，１３  駒片
３ａ，１３ａ  内筒
３ｂ，１３ｂ  外筒
３ｃ  リブ
３ｄ，３ｅ，３ｆ，１３ｄ，１３ｅ，１３ｆ  スリット
４  踏板
４ａ  嵌合孔
４ｂ  足置き部
４ｃ  基部
４ｄ  筒状部
３１，１３１  端部壁
【図１】
2009055961.tif 000003
【図２】
2009055961.tif 000004
【図３】
2009055961.tif 000005
【図４】
2009055961.tif 000006